(57)【特許請求の範囲】
【請求項１】
電子ペンの筒状の筐体内に、少なくともペン先が、前記筒状の筐体の軸心方向の一方の開口から突出可能に収容される電子ペン本体部であって、
軸心方向の一端側が前記ペン先となる芯体と、
前記芯体の前記ペン先とは反対側に設けられ、コイルが巻回された磁性体コアと、
を備え、
前記磁性体コアは、前記コイルが巻回されていない軸心方向部分であるコイル非巻回部を、少なくとも前記ペン先側に備えると共に、
前記ペン先となる前記芯体の一端側が前記筐体の開口から外部に突出している使用時には、前記磁性体コアの前記コイル非巻回部の一部も前記開口から外部に突出する
ことを特徴とする電子ペン本体部。
【請求項２】
前記磁性体コアの前記コイル非巻回部の前記ペン先側は、徐々に先細となるテーパー部が形成されている
ことを特徴とする請求項１に記載の電子ペン本体部。
【請求項３】
前記磁性体コアの前記コイル非巻回部の径は、前記筐体の開口の径より小さく、前記コイルが巻回された部分の前記コイルの部分も含めた径は、前記筐体の開口の径より大きい
ことを特徴とする請求項１に記載の電子ペン本体部。
【請求項４】
前記コイルには、前記コイルと共に共振回路を構成するキャパシタが接続される
ことを特徴とする請求項１に記載の電子ペン本体部。
【請求項５】
前記芯体は、非導電性の材料で構成されている
ことを特徴とする請求項１に記載の電子ペン本体部。
【請求項６】
前記磁性体コアは、軸心方向の貫通孔を備え、
前記芯体は、前記ペン先となる一端側とは反対側が前記磁性体コアの前記貫通孔を挿通する芯体本体部を備え、
前記磁性体コアの軸心方向の前記ペン先と反対側には、前記磁性体コアの前記貫通孔を通して前記芯体本体部の前記ペン先とは反対側が嵌合して、前記ペン先に加わる外力を検出する筆圧検出部を備える
ことを特徴とする請求項１に記載の電子ペン本体部。
【請求項７】
前記芯体は、導電性部材で構成されており、
前記芯体と電気的に接続され、前記芯体から外部に送出する信号を発生する発信部と、
前記発信部に電源電圧を供給する電源回路と、
を備え、
前記共振回路は、電磁誘導により外部から得たエネルギーにより前記電源回路の蓄電素子に蓄電をする
ことを特徴とする請求項４に記載の電子ペン本体部。
【請求項８】
前記蓄電素子は、電気二重層キャパシタからなる
ことを特徴とする請求項７に記載の電子ペン本体部。
【請求項９】
ペン先側となる軸心方向の一端側に開口が設けられ、他端側が閉塞されている筒状の筐体を有し、少なくとも１本の電子ペン本体部が前記筒状の筐体内に収納されている電子ペンであって、
前記電子ペン本体部は、
軸心方向の一端側がペン先となる芯体と、
前記芯体の前記ペン先とは反対側に設けられ、コイルが巻回された磁性体コアと、
を備え、
前記ペン先となる前記芯体の一端側が前記筐体の開口から外部に突出している使用時には、前記磁性体コアの一部も前記開口から外部に突出する
ことを特徴とする電子ペン。
【請求項１０】
前記電子ペン本体部の前記芯体の一端側及び前記磁性体コアの前記一部の径は、ボールペンの替え芯のペン先部の径以下とされ、前記電子ペン本体部の長さは、前記ボールペンの替え芯の長さとほぼ同一とされている
ことを特徴とする請求項９に記載の電子ペン。
【請求項１１】
前記筐体は、ボールペンの替え芯を収納して、ボールペンとして機能する
ことを特徴とする請求項９に記載の電子ペン。
【請求項１２】
前記筐体内には、前記電子ペン本体部またはボールペンの替え芯についてのノック式ボールペンの機構が設けられている
ことを特徴とする請求項９、請求項１０または請求項１１のいずれかに記載の電子ペン。
【請求項１３】
前記筐体内には、複数本の前記電子ペン本体部を収納して、その内の１本を選択的に、前記開口から前記芯体の前記一端側を外部に突出させるようにするノック式多色ボールペンの機構が設けられている
ことを特徴とする請求項９に記載の電子ペン。
【請求項１４】
前記電子ペン本体部の前記芯体の一端側及び前記磁性体コアの前記一部の径は、ボールペンの替え芯のペン先部の径以下とされ、前記電子ペン本体部の長さは、前記ボールペンの替え芯の長さとほぼ同一とされている
ことを特徴とする請求項１３に記載の電子ペン。
【請求項１５】
前記筐体は、複数個の前記電子ペン本体部の１本または複数本の代わりに、前記ボールペンの替え芯を収納して、ノック式多色ボールペンとしても機能する
ことを特徴とする請求項１４に記載の電子ペン。
【請求項１６】
前記電子ペン本体部の筒状体部内には、当該電子ペン本体部の識別情報を記憶し、当該記憶している前記識別情報を、位置検出装置に送信する制御回路が設けられている
ことを特徴とする請求項１３に記載の電子ペン。
【請求項１７】
前記電子ペン本体部の前記コイルが巻回されている部分の径と前記筒状体部の径とは、ほぼ同一である
ことを特徴とする請求項１６に記載の電子ペン。
【発明の詳細な説明】
【技術分野】
【０００１】
この発明は、位置検出装置と共に使用される電子ペン及びこの電子ペンに用いられる電子ペン用本体部に関する。
【背景技術】
【０００２】
近年、種々の電子機器の入力装置として、座標入力装置が用いられるようになっており、この座標入力装置の入力具としての電子ペンが用いられる機会が多くなっている。座標入力装置としては電磁誘導方式が主に用いられており、この電磁誘導方式の一つとして、センサからの磁界を、電子ペンが備える共振回路で受けて、センサに帰還する方式がある。【０００３】
この電磁誘導方式の座標入力装置は、多数のループコイルを座標軸のＸ軸方向及びＹ軸方向に配設してなるセンサを備える位置検出装置と、磁性体コアに巻回されたインダクタンス素子の例としてのコイルとキャパシタとからなる共振回路を有するペン形状の位置指示器としての電子ペンとで構成される。【０００４】
位置検出装置は、所定の周波数の送信信号をセンサのループコイルに供給して、電磁エネルギーとして電子ペンに送信する。電子ペンの共振回路は、送信信号の周波数に応じた共振周波数を有するように構成されており、センサのループコイルとの間での電磁誘導作用に基づいて電磁エネルギーを蓄える。そして、電子ペンは、共振回路に蓄えた電磁エネルギーを位置検出装置のセンサのループコイルに帰還させる。【０００５】
センサのループコイルは、この電子ペンからの電磁エネルギーを検出する。位置検出装置は、送信信号を供給したループコイルの位置と、電子ペンの共振回路からの電磁エネルギーを検出したループコイルの位置により、電子ペンにより指示されたセンサ上の位置のＸ軸方向及びＹ軸方向の座標値を検出する。【０００６】
図１２に、従来の電子ペン１００の概略構成の一例を示す。この図１２の例の電子ペン１００は、特許文献１（特開２００９−８６９２５号公報）に記載されているものである。【０００７】
この特許文献１に記載されている電子ペン１００のケース（筐体）１０１は、軸芯方向に組立結合された第１のケース１０２と第２のケース１０３とからなる有底の円筒状形状を備える。第１のケースの軸芯方向の一端側には、一端１０９ａ側がペン先となる棒状の芯体１０９の、前記一端１０９ａ側を外部に突出させるための開口１０２ａが形成されている。ケース１０１の中空部内には、コイル１０４と、筆圧検出部１０５と、コイル１０４と共に共振回路を構成するキャパシタ１０６などの電子部品が搭載されたプリント基板１０７とが、軸芯方向に順次に並べられて収納されている。【０００８】
コイル１０４は、軸芯方向の貫通孔１０８ａを有する円筒状の磁性体コアの例としてのフェライトコア１０８に巻回されている。芯体１０９は、このフェライトコア１０８とは機構的に結合しないものとして構成されており、当該フェライトコア１０８の貫通孔１０８ａを貫通するように設けられる。そして、フェライトコア１０８の、第１のケース１０２の開口１０２ａとは反対側には、筆圧検出部１０５が収納されており、芯体１０９の他端１０９ｂが、この筆圧検出部１０５に嵌合される。芯体１０９は、印加される筆圧に応じて軸心方向に移動変位する。この例の筆圧検出部１０５は、その芯体１０９に生じる移動変位を静電容量の変化とするキャパシタの構成を有し、このキャパシタの静電容量の変化として筆圧を検出するように構成されている。【０００９】
筆圧検出部１０５は、端子１０５ａ及び端子１０５ｂにより、プリント基板１０７のキャパシタなどの電子部品と電気的に接続されていると共に、コイル１０４の一端及び他端と電気的に接続されている。筆圧検出部１０５を構成するキャパシタは、コイルと所定のキャパシタと共に共振回路を構成している。芯体１０９に圧力（筆圧）が印加されると筆圧検出部１０５を構成するキャパシタの容量が変化し、共振回路の共振周波数が変化する。電子ペン１００は、この共振回路により、位置検出装置のセンサとの間で電磁波の授受を行う。位置検出装置は、電子ペン１００との電磁波の授受を行っている座標位置として、電子ペン１００の芯体１０９の指示位置を検出し、電子ペン１００から帰還される信号の周波数（共振周波数）により電子ペンに印加されている筆圧を検出するようにする。【００１０】
上述のように、従来の電磁誘導方式の電子ペンにおいては、フェライトコア１０８の軸芯方向の貫通孔１０８ａを通じて芯体１０９を配することにより、この芯体１０９に印加される圧力を筆圧検出部１０５に伝達し、位置検出装置のセンサの入力面への電子ペン１００の接触を検出することができる構成としている。
【先行技術文献】
【特許文献】
【００１１】
【特許文献１】特開２００９−８６９２５号公報
【発明の概要】
【発明が解決しようとする課題】
【００１２】
ところで、近年の小型化の嗜好により、携帯型の電子機器も、より小型化の要求が強くなっている。そして、電子ペンは、この種の小型の電子機器用の位置検出装置と共に使用されるようになっており、より細型のものが求められている。【００１３】
上述した電磁誘導方式の電子ペンにおいては、センサからの磁束を確実に捉えると共に、センサに対して磁束を確実に帰還させるようにすることが重要である。そのために、従来から、電子ペンとセンサとの間で、多くの磁束をやり取りすることができるように、すなわち、コイルと鎖交する磁束の数を多くするように、コイルの巻回断面積、つまりフェライトコアの断面積を大きくしたり、コイルを多層巻きにしたりしている。【００１４】
しかし、電子ペンが細型となると、フェライトコアも細くなると共に、巻回されるコイルの巻き厚が制限されるので、多層巻きにするにしても限界があり、鎖交する磁束の数が減少して、センサとの磁気的な結合が低下してしまうという問題がある。【００１５】
この発明は、以上の問題点を解決することができるようにした電子ペン及び電子ペン本体部を提供することを目的とする。
【課題を解決するための手段】
【００１６】
上記の課題を解決するために、この発明の電子ペン本体部は、
電子ペンの筒状の筐体内に、少なくともペン先が、前記筒状の筐体の軸心方向の一方の開口から突出可能に収容される電子ペン本体部であって、
軸心方向の一端側が前記ペン先となる芯体と、
前記芯体の前記ペン先とは反対側に設けられ、コイルが巻回された磁性体コアと、
を備え、
前記磁性体コアは、前記コイルが巻回されていない軸心方向部分であるコイル非巻回部を、少なくとも前記ペン先側に備えると共に、
前記ペン先となる前記芯体の一端側が前記筐体の開口から外部に突出している使用時には、前記磁性体コアの前記コイル非巻回部の一部も前記開口から外部に突出する
ことを特徴とする。【００１７】
また、この発明の電子ペンは、
ペン先側となる軸心方向の一端側に開口が設けられ、他端側が閉塞されている筒状の筐体を有し、少なくとも１本の電子ペン本体部が前記筒状の筐体内に収納されている電子ペンであって、
前記電子ペン本体部は、
軸心方向の一端側がペン先となる芯体と、
前記芯体の前記ペン先とは反対側に設けられ、コイルが巻回された磁性体コアと、
を備え、
前記ペン先となる前記芯体の一端側が前記筐体の開口から外部に突出している使用時には、前記磁性体コアの一部も前記開口から外部に突出する
ことを特徴とする。【００１８】
上述の構成のこの発明による電子ペンにおいては、電子ペン本体部のペン先となる芯体の一端側が筐体の開口から外部に突出している使用時には、磁性体コアの一部も開口から外部に突出する。【００１９】
したがって、磁性体コアと、位置検出装置のセンサとの距離が近接して、電子ペン本体部とセンサとの磁気的な結合が強くなる。これにより、電子ペンが細型化されたとしても、電子ペンと位置検出装置のセンサとの間の磁気的結合の強さを良好なものとすることができる。
【発明の効果】
【００２０】
この発明によれば、電子ペンが細型化されたとしても、電子ペンと位置検出装置のセンサとの間の磁気的結合の強さを良好なものとすることができるという効果を奏する。
【図面の簡単な説明】
【００２１】
【図１】この発明による電子ペンの第１の実施形態の構成例を示す図である。
【図２】この発明による電子ペン本体部の第１の実施形態の構成例を説明するための図である。
【図３】この発明による電子ペン本体部の第１の実施形態の主要部の構成を説明するための図である。
【図４】この発明による電子ペンの第１の実施形態の回路構成を、当該電子ペンと共に使用する位置検出装置の回路構成と共に示す図である。
【図５】この発明による電子ペンの第２の実施形態の構成例を示す図である。
【図６】この発明による電子ペンの第２の実施形態の回路構成を、当該電子ペン共に使用する位置検出装置の回路構成と共に示す図である。
【図７】第２の実施形態の電子ペンを用いる位置検出装置における処理動作例を示すフローチャートを示す図である。
【図８】この発明による電子ペンの第３の実施形態の要部の構成例を説明するための図である。
【図９】この発明による電子ペンの第４の実施形態の要部の構成例を説明するための図である。
【図１０】この発明による電子ペンの第４の実施形態の回路構成を説明するための図である。
【図１１】この発明による電子ペンの第４の実施形態と共に使用する位置検出装置の回路構成と共に示す図である。
【図１２】従来の電子ペンの一例を説明するための図である。
【発明を実施するための形態】
【００２２】
以下、この発明による電子ペン及び電子ペン本体部の実施形態を、図を参照しながら説明する。
【００２３】
［第１の実施形態］
図１は、この発明による電子ペンの第１の実施形態の構成例を示す図である。この第１の実施形態の電子ペン１は、筒状の筐体２の中空部２ａ内に、電子ペン本体部３が収納され、ノックカム機構部４により、電子ペン本体部３のペン先側が、筐体２の長手方向の一端の開口２ｂ側から出し入れされるノック式の構成を備える。この実施形態では、電子ペン本体部３は、カートリッジ式の構成とされ、筐体２に対して着脱可能とされている。
【００２４】
図１（Ａ）は、電子ペン本体部の全体が筐体２の中空部２ａ内に収容されている状態を示し、図１（Ｂ）は、ノックカム機構部４により電子ペン本体部のペン先側が、筐体２の開口２ｂから突出した状態を示している。なお、図１の例では、電子ペン１の筐体２が透明の合成樹脂で構成されていて、その内部が透けて見える状態として示している。
【００２５】
この実施形態の電子ペン１は、市販のノック式ボールペンと互換性が取れる構成とされている。
【００２６】
筐体２及び当該筐体２内に設けられるノックカム機構部４は、周知の市販のノック式ボールペンと同一の構成とされると共に、寸法関係も同一に構成される。換言すれば、筐体２及びノックカム機構部４は、市販のノック式のボールペンの筐体及びノックカム機構部をそのまま用いることもできる。
【００２７】
ノックカム機構部４は、図１に示すように、カム本体４１と、ノック棒４２と、回転子４３とが組み合わされた周知の構成とされている。カム本体４１は、筒状の筐体２の内壁面に形成されている。ノック棒４２は、使用者のノック操作を受け付けることができるように、端部４２ａが、筐体２のペン先側とは反対側の開口２ｃから突出するようにされている。回転子４３は、電子ペン本体部３のペン先側とは反対側の端部が嵌合される嵌合部４３ａを備える。
【００２８】
図１（Ａ）の状態において、ノック棒４２の端部４２ａが押下されると、ノックカム機構部４により、電子ペン本体部３は、筐体２内において図１（Ｂ）の状態にロックされ、電子ペン本体部３のペン先側が、筐体２の開口２ｂから突出する状態になる。そして、この図１（Ｂ）の状態から、ノック棒４２の端部４２ａが再度押下されると、ノックカム機構部４によりロック状態が解除され、復帰用バネ５により、電子ペン本体部３の筐体２内の位置は、図１（Ａ）の状態に戻る。ノックカム機構部４の詳細な構成及びその動作は、周知であるので、ここでは、その説明を省略する。
【００２９】
［電子ペン本体部３の実施形態］
図２は、電子ペン本体部３の構成例を、市販のノック式ボールペンの替え芯と比較して示す図である。すなわち、図２（Ａ）は、市販のノック式ボールペンの替え芯６を示し、また、図２（Ｂ）は、この実施形態の電子ペン本体部３の構成例を示している。
【００３０】
市販のノック式ボールペンの替え芯６は、図２（Ａ）に示すように、ボールが先端に配設されているペン先部６１と、インク収納部６２とが、結合部６３で結合されて一体化された周知の構成を備える。結合部６３は、インク収納部６２と同じ径を有する。
【００３１】
一方、この実施形態の電子ペン本体部３においては、図２（Ｂ）に示すように、コイル３１が巻回された磁性体コア、この例ではフェライトコア３２が筒状体部３３と結合されている。そして、芯体３４が、フェライトコア３２の貫通孔（図２では図示を省略）を通じて挿通されて、後述するように、筒状体部３３内に設けられている筆圧検出部（図２では図示を省略）に嵌合されて電子ペン本体部３の一部として設けられる。図２に示すように、芯体３４は、一方の端部３４ａ（以下、先端部３４ａという）が、ペン先として、フェライトコア３２から突出する。
【００３２】
図３（Ａ）は、コイル３１が巻回されたフェライトコア３２と、筒状体部３３の一部と、芯体３４の部分の分解拡大図である。この例のフェライトコア３２は、例えば円柱状形状のフェライト材料に、芯体３４を挿通するための所定の径ｒ（例えばｒ＝１ｍｍ）の軸心方向の貫通孔３２ｄが形成されたものとされている。このフェライトコア３２の、ペン先側には、徐々に先細となるテーパー部３２ｅが形成されている。このテーパー部３２ｅにより、このフェライトコア３２を通る磁束は、テーパー部３２ｅで高密度となり、位置検出装置のセンサとの間の磁気的な結合を、テーパー部３２ｅがない場合に比して、より強くすることができる。
【００３３】
そして、この実施形態では、図３（Ａ）に示すように、コイル３１がフェライトコア３２の軸心方向の全長に亘って巻回されるのではなく、部分的に巻回されている。すなわち、この例では、コイル３１はフェライトコア３２の全長の約１／２長の巻回長を有するものとされると共に、図３（Ａ）に示すように、当該コイルのフェライトコア３２における巻回部３２ａは、フェライトコア３２の、筒状体部３３との結合部側に偏った位置とされる。
【００３４】
そして、フェライトコア３２をその軸心方向に見たとき、ペン先側の端部から、コイル巻回部３２ａの一方の端までの部分は、コイルが巻回されない第１のコイル非巻回部３２ｂとされ、また、コイル巻回部３２ａの他方の端から、フェライトコア３２の筒状体部３３との結合部側の若干の部分も、コイル３１が巻回されない第２のコイル非巻回部３２ｃとされる。第２のコイル非巻回部３２ｃの軸心方向の長さは、筒状体部３３と結合するための短い長さとされる。一方、第１のコイル非巻回部３２ｂの軸心方向の長さは、この例では、フェライトコア３２の全長の約１／２長から、第２のコイル非巻回部３２ｃの長さ分を差し引いた、比較的長いものとされる。
【００３５】
そして、この実施形態では、筒状体部３３のフェライトコア３２との結合部の近傍には、筆圧検出部３５が設けられている。この筆圧検出部３５は、この例では、例えば特許文献：特開２０１１−１８６８０３号公報に記載されている周知の構成の筆圧検出手段を使用した、筆圧に応じて静電容量が変化する可変容量キャパシタの構成としている。なお、筆圧検出部３５は、例えば、特開２０１３−１６１３０７号公報に開示されているような筆圧に応じて静電容量を可変とする半導体素子を用いた構成することもできる。
【００３６】
筒状体部３３内には、さらにプリント基板３６が収納されている。このプリント基板３６には、コイル３１に並列に接続されて共振回路を構成するキャパシタが設けられている。そして、筆圧検出部３５で構成される可変容量キャパシタは、このプリント基板３６に形成されているキャパシタに並列に接続されて、前記共振回路の一部を構成するようにされている（後述の図４参照）。
【００３７】
そして、図３（Ｂ）に示すように、フェライトコア３２の第２のコイル非巻回部３２ｃの全部または一部が、筒状体部３３に設けられている凹部３３ａに嵌合されることで、フェライトコア３２が筒状体部３３と結合される。図示は省略するが、このフェライトコア３２の筒状体部３３との結合の際に、コイル３１の一端３１ａ及び３１ｂが、筒状体部３３のプリント基板３６に設けられているキャパシタと並列に接続されるように電気的に接続される。
【００３８】
図２に示すように、フェライトコア３２のコイル巻回部３２ａの径と筒状体部３３の径は、共に径Ｒ２とされるので、図３（Ａ）に示すように、フェライトコア３２の第２のコイル非巻回部３２ｃと筒状体部３３の凹部３３ａとを嵌合したとき、コイル３１と筒状体３３とは段差なく接続される。これにより、電子ペン本体部３は、ボールペンの替え芯６の外観形状とほぼ同じ外観形状とすることができる。
【００３９】
芯体３４は、図３（Ａ）に示すように、径がフェライトコア３２の貫通孔の径ｒよりも小さい、非導電性の棒状の部材で構成されている。この例では、芯体３４は、比較的硬質で弾性を有する樹脂材料、例えばＰＯＭ（Polyoxymethylene）で構成されている。
【００４０】
この芯体３４は、フェライトコア３２と筒状体部３３とが結合されている状態において、図３（Ｂ）に示すように、テーパー部３２ｅが形成されている側からフェライトコア３２の貫通孔３２ｄに挿通される。そして、芯体３４は、その先端部３４ａとは反対側の端部３４ｂが、筒状体部３３内の筆圧検出部３５の嵌合部３５ａに嵌合される。この場合に、詳細な図示は、省略するが、筆圧検出部３５の嵌合部３５ａには例えば弾性ゴムなどの弾性材料が配置されていて、芯体３４の端部３４ｂが当該弾性材料で保持されることにより、芯体３４は容易には抜け落ちないようにされている。ただし、使用者が、芯体３４を引き抜くように力を印加すれば、芯体３４と筆圧検出部３５の嵌合部３５ａとの嵌合は、容易に外れて、芯体３４を引き抜くことができる。つまり、芯体３４は、交換可能とされている。
【００４１】
この例の場合には、図２（Ａ）及び図２（Ｂ）に示すように、電子ペン本体部３のペン先側の寸法は、ボールペンの替え芯６のペン先側の寸法とほぼ等しくなるように構成されている。すなわち、電子ペン本体部３のペン先側に設けられるフェライトコア３２の径は、ボールペンの替え芯６のペン先部６１の径Ｒ１とほぼ等しくなるように構成されている。また、芯体３４の先端部３４ａのフェライトコア３２から突出する部分の長さとフェライトコア３２の第１のコイル非巻回部３２ｂの長さとの合計の長さは、図２及び図３（Ｂ）に示すように、ボールペンの替え芯６のペン先部６１の長さＬ１とほぼ等しくなるように構成されている。
【００４２】
また、電子ペン本体部３のフェライトコア３２のコイル３１が巻回されたコイル巻回部３２ａの径及び筒状体部３３の径は、ボールペンの替え芯６のインク収納部６２の径Ｒ２とほぼ等しく、前記ペン先部６１の径Ｒ１よりは大きい（Ｒ２＞Ｒ１）。なお、筐体２の開口２ｂの径は、この径Ｒ２よりは小さい。したがって、コイル巻回部３２ａは、開口２ｂから外部に突出することはできない。
【００４３】
また、図２（Ａ）及び（Ｂ）に示すように、フェライトコア３２と筒状体部３３とを結合し、芯体３４をフェライトコア３２の貫通孔を通じて筒状体部３３の筆圧検出部３５に嵌合した状態の電子ペン本体部の長さ（全長）は、ボールペンの替え芯６の全長Ｌ２と等しく選定されている。
【００４４】
以上のような構成の電子ペン本体部３を、その筒状体部３３をノックカム機構部４の回転子４３の嵌合部４３ａに嵌合させることにより、筐体２内に収納することができる。そして、この実施形態の電子ペン１においては、使用者は、位置検出装置と共に使用するときには、ノック棒４２の端部４２ａを押下する。すると、電子ペン１においては、図１（Ｂ）及び図３（Ｂ）に示すように、芯体３４の先端部３４ａ及びフェライトコア３２の第１のコイル非巻回部３２ｂの一部が筐体２の開口２ｂから突出する状態となる。電子ペン１の使用者は、この状態で、位置検出装置のセンサ上において、指示位置の入力操作をする。
【００４５】
電子ペン１の使用が終了したら、ノック棒４２の端部４２ａを再押下することで、図１（Ａ）に示すように、電子ペン本体部３の全体は筐体２の中空部２ａ内に収容させる状態とすることができる。このときには、電子ペン本体部３の全体が筐体２の中空部２ａ内に収容されて、電子ペン本体部３の芯体３４の先端３４ａは、筐体２により保護される状態となる。
【００４６】
［第１の実施形態の効果］
この実施形態の電子ペン１おいては、芯体３４の先端部３４ａが外部に突出する電子ペン１の使用時には、芯体３４のみではなく、フェライトコア３２の第１のコイル非巻回部３２ｂの一部も筐体２の開口２ｂから突出しており、フェライトコア３２のテーパー部３２ｅの先端から、センサの入力面までの距離が短くなる。したがって、この実施形態の電子ペン１によれば、フェライトコア３２が、筐体２の中空部２ａ内に留まっている従来の電子ペンに比較して、センサとの電磁結合が強くなる。さらに、この実施形態では、フェライトコア３２の芯体３４の先端部３４ａ側は、テーパー部３２ｅとされているので、フェライトコア３２の先端の断面積が小さくなり、より磁束密度が大きくなって、センサと強く電磁結合するようになる。
【００４７】
したがって、この実施形態の電子ペン１は、細型化された場合であっても、センサと強く電磁結合することができ、位置検出装置においては、電子ペンによる指示位置の検出を感度良く検出することができるようになる。
【００４８】
この場合に、電子ペン１の細型化に伴い、芯体３４も非常に細くなり、強度が問題となる。特に、従来のように、芯体の先端部３４ａが筐体２の開口２ｂから外部に突出するときにも、フェライトコアが筐体２の中空部２ａ内に存在している場合には、フェライトコアの貫通孔の端部から突出する、芯体３４の先端部３４ａ側の長さが長くなり、芯体３４が折れる恐れがある。
【００４９】
これに対して、この実施形態では、芯体３４の先端部３４ａが筐体２の開口２ｂから外部に突出するときには、フェライトコア３２のコイル非巻回部３２ｂの一部も筐体２の開口２ｂから外部に突出する構成であり、芯体３４の先端部３４ａ側がフェライトコア３２の貫通孔の端部から突出する長さは、ペン先としての最小の長さで良い。換言すれば、この実施形態の電子ペン本体部３においては、芯体３４は、外部に突出させる必要最小限の先端部３４ａ以外は、フェライトコア３２の貫通孔３２ｄ内に挿入されていて保護されている。したがって、この実施形態の電子ペン１及び電子ペン本体部３によれば、芯体３４が細くなっても、その破損を防止することができるという効果を奏する。
【００５０】
そして、電子ペン本体部３の細型化が実現できるので、電子ペン本体部３を、市販のボールペンの替え芯と互換性を取れる構成とすることができるようになる。
【００５１】
電子ペン本体部３を、市販のボールペンの替え芯と互換性を取れる構成とした場合には、電子ペン１の筐体２を、市販のボールペンの筐体を流用することができるというメリットがある。すなわち、ボールペンの替え芯の代わりに、この実施形態の電子ペン本体部３を、ボールペンの筐体に収納することで、電子ペン１を構成することが可能となる。
【００５２】
なお、図２の例では、フェライトコア３２のほぼ１／２長部分にコイル３１を巻回するようにしたが、フェライトコア３２において、コイル３１を巻回する部分の長さは、これに限られるものではなく、任意である。そして、芯体３４の先端部３４と、フェライトコア３２のコイル非巻回部３２ｂとの合計の長さは、市販のボールペンの替え芯との互換性を確保する場合において、上述した長さＬ１に限定されるわけではなく、長さＬ１以上であればよい。
【００５３】
［電子ペン１と共に使用する位置検出装置における位置検出および筆圧検出のための回路構成］
次に、上述の実施形態の電子ペン１による指示位置の検出および電子ペン１に印加される筆圧の検出を行う位置検出装置４００の回路構成例及びその動作について、図４を参照して説明する。
【００５４】
電子ペン１は、図４に示すように、インダクタンス素子としてのコイル３１と、筆圧検出部３５により構成される可変容量キャパシタＣｖと、筒状体部３３に収納されている共振用キャパシタＣｆとが並列に接続された共振回路を備える。
【００５５】
一方、位置検出装置４００には、Ｘ軸方向ループコイル群４１１と、Ｙ軸方向ループコイル群４１２とが積層されて位置検出コイル４１０が形成されている。各ループコイル群４１１，４１２は、例えば、それぞれｎ，ｍ本の矩形のループコイルからなっている。各ループコイル群４１１，４１２を構成する各ループコイルは、等間隔に並んで順次重なり合うように配置されている。
【００５６】
また、位置検出装置４００には、Ｘ軸方向ループコイル群４１１及びＹ軸方向ループコイル群４１２が接続される選択回路４１３が設けられている。この選択回路４１３は、２つのループコイル群４１１，４１２のうちの一のループコイルを順次選択する。
【００５７】
さらに、位置検出装置４００には、発振器４２１と、電流ドライバ４２２と、切り替え接続回路４２３と、受信アンプ４２４と、検波器４２５と、低域フィルタ４２６と、サンプルホールド回路４２７と、Ａ／Ｄ変換回路４２８と、同期検波器４２９と、低域フィルタ４３０と、サンプルホールド回路４３１と、Ａ／Ｄ変換回路４３２と、処理制御部４３３とが設けられている。処理制御部４３３は、マイクロコンピュータにより構成されている。
【００５８】
発振器４２１は、周波数ｆ０の交流信号を発生する。そして、発振器４２１は、発生した交流信号を、電流ドライバ４２２と同期検波器４２９に供給する。電流ドライバ４２２は、発振器４２１から供給された交流信号を電流に変換して切り替え接続回路４２３へ送出する。切り替え接続回路４２３は、処理制御部４３３からの制御により、選択回路４１３によって選択されたループコイルが接続される接続先（送信側端子Ｔ、受信側端子Ｒ）を切り替える。この接続先のうち、送信側端子Ｔには電流ドライバ４２２が、受信側端子Ｒには受信アンプ４２４が、それぞれ接続されている。
【００５９】
選択回路４１３により選択されたループコイルに発生する誘導電圧は、選択回路４１３及び切り替え接続回路４２３を介して受信アンプ４２４に送られる。受信アンプ４２４は、ループコイルから供給された誘導電圧を増幅し、検波器４２５及び同期検波器４２９へ送出する。
【００６０】
検波器４２５は、ループコイルに発生した誘導電圧、すなわち受信信号を検波し、低域フィルタ４２６へ送出する。低域フィルタ４２６は、前述した周波数ｆ０より充分低い遮断周波数を有しており、検波器４２５の出力信号を直流信号に変換してサンプルホールド回路４２７へ送出する。サンプルホールド回路４２７は、低域フィルタ４２６の出力信号の所定のタイミング、具体的には受信期間中の所定のタイミングにおける電圧値を保持し、Ａ／Ｄ（Analog to Digital）変換回路４２８へ送出する。Ａ／Ｄ変換回路４２８は、サンプルホールド回路４２７のアナログ出力をデジタル信号に変換し、処理制御部４３３に出力する。
【００６１】
一方、同期検波器４２９は、受信アンプ４２４の出力信号を発振器４２１からの交流信号で同期検波し、それらの間の位相差に応じたレベルの信号を低域フィルタ４３０に送出する。この低域フィルタ４３０は、周波数ｆ０より充分低い遮断周波数を有しており、同期検波器４２９の出力信号を直流信号に変換してサンプルホールド回路４３１に送出する。このサンプルホールド回路４３１は、低域フィルタ４３０の出力信号の所定のタイミングにおける電圧値を保持し、Ａ／Ｄ（Analog to Digital）変換回路４３２へ送出する。Ａ／Ｄ変換回路４３２は、サンプルホールド回路４３１のアナログ出力をデジタル信号に変換し、処理制御部４３３に出力する。
【００６２】
処理制御部４３３は、位置検出装置４００の各部を制御する。すなわち、処理制御部４３３は、選択回路４１３におけるループコイルの選択、切り替え接続回路４２３の切り替え、サンプルホールド回路４２７、４３１のタイミングを制御する。処理制御部４３３は、Ａ／Ｄ変換回路４２８、４３２からの入力信号に基づき、Ｘ軸方向ループコイル群４１１及びＹ軸方向ループコイル群４１２から一定の送信継続時間（連続送信区間）をもって電波を送信させる。
【００６３】
Ｘ軸方向ループコイル群４１１及びＹ軸方向ループコイル群４１２の各ループコイルには、電子ペン１から送信（帰還）される電波によって誘導電圧が発生する。処理制御部４３３は、この各ループコイルに発生した誘導電圧の電圧値のレベルに基づいて電子ペン１のＸ軸方向及びＹ軸方向の指示位置の座標値を算出する。また、処理制御部４３３は、送信した電波と受信した電波との位相差に応じた信号のレベルに基づいて筆圧を検出する。
【００６４】
このようにして、位置検出装置４００では、接近した電子ペン１の位置を処理制御部４３３で検出する。そして、受信した信号の位相を検出することにより、電子ペン１の筆圧値の情報を得る。
【００６５】
そして、電子ペン本体部３の細型化が実現できるので、電子ペン本体部３を、市販のボールペンの替え芯と互換性を取れる構成とすることができるようになる。
【００６６】
電子ペン本体部３を、市販のボールペンの替え芯と互換性を取れる構成とした場合には、電子ペン１の筐体２を、市販のボールペンの筐体を流用することができるというメリットがある。すなわち、ボールペンの替え芯の代わりに、この実施形態の電子ペン本体部３を、ボールペンの筐体に収納することで、電子ペン１を構成することが可能となる。
【００６７】
［第２の実施形態］
この第２の実施形態の電子ペンは、第１の実施形態の変形例である。上述した第１の実施形態では、電子ペン本体部を筐体内に１本のみを収納するようにした。この第２の実施形態では、筐体内に複数本の電子ペン本体部を収納させ、ノック機構により、その複数本の電子ペン本体部の内の１本を選択して、その選択した電子ペン本体部のペン先部の先端を、筐体のペン先側の開口から突出させて使用するようにする。
【００６８】
上述したように、第１の実施形態の電子ペン１の電子ペン本体部３は、ボールペンの替え芯６と互換性を取れる構成を備えるようにされている。市販のボールペンとしては、インク色の異なる替え芯を装着した多色ボールペンが存在する。この第２の実施形態は、電子ペン本体部３を、この多色ボールペンの筐体と同様の構成の筐体に収納することで構成される電子ペンを提供するものである。
【００６９】
図５は、この第２の実施形態の電子ペン１Ｍの外観を示す構成図である。この図５の例も、電子ペン１Ｍの筐体２Ｍが透明の合成樹脂で構成されていて、その内部が透けて見える状態として示している。
【００７０】
電子ペン１Ｍの筐体２Ｍは、市販のノック式の多色ボールペンの筐体及びノック機構と同一の構成を備えている。市販のノック式の多色ボールペンの筐体及びノック機構をそのまま用いてもよい。この筐体２Ｍ内には、この例では、３本の電子ペン本体部３Ｂ，３Ｒ，３Ｅが収納されている。
【００７１】
この電子ペン本体部３Ｂ，３Ｒ，３Ｅは、多色ボールペンの替え芯と同寸法に構成されている点を除けば、外形的には、第１の実施形態の電子ペン本体部３と同様に構成される。ただし、この第２の実施形態の場合の電子ペン本体部３Ｂ，３Ｒ，３Ｅにおいては、電子回路部品が配設される筒状体部３３には、前述した共振回路を構成するキャパシタＣｆの他、自身の識別情報を位置検出装置に送信する機能を実現するためのＩＣ及びその周辺回路が設けられる。電子ペン本体部３Ｂ，３Ｒ，３Ｅのその他の構成は、第１の実施形態の電子ペン本体部３と同様とされる。
【００７２】
そして、電子ペン１Ｍのノック機構には、電子ペン本体部３Ｂ，３Ｒ，３Ｅのそれぞれが嵌合されるノック棒４２Ｂ，４２Ｒ，４２Ｅが備えられている。そして、ノック棒４２Ｂ，４２Ｒ，４２Ｅのいずれかが、ペン先側にスライド移動されることで、電子ペン本体部３Ｂ，３Ｒ，３Ｅのいずれかの芯体３４の先端部３４ａ及びフェライトコア３２のコイル非巻回部３２ｂの一部が突出して、位置検出装置のセンサと電磁誘導結合するようにされる。
【００７３】
そして、この実施形態の場合、電子ペン本体部３Ｂ，３Ｒ，３Ｅと共に使用される位置検出装置は、電子ペン本体部３Ｂ，３Ｒ，３Ｅのそれぞれから送信されてくる識別情報を受信して、判別する機能を備える。すなわち、この実施形態の場合の位置検出装置は、電子ペン本体部３Ｂ，３Ｒ，３Ｅの違いを判別して、電子ペン本体部３Ｂ，３Ｒ，３Ｅのそれぞれに割り当てられた機能を実現するようにする。
【００７４】
以下に説明する例では、例えば、電子ペン本体部３Ｂは、その指示位置に応じて表示する軌跡（文字や図形）を黒色で表す機能を割り当てられ、電子ペン本体部３Ｒは、その指示位置に応じて表示する軌跡を赤色で表す機能を割り当てられ、電子ペン本体部３Ｅは、その指示位置に応じて、先に指示入力された軌跡を消去する機能を割り当てられる。電子ペン本体部に割り当てられる機能は、この例のような指示位置に応じた軌跡の表示色のみではなく、軌跡の太さや、実線、点線、一点鎖線などの表示する線の種別などであってもよい。
【００７５】
図６は、電子ペン本体部３Ｂ，３Ｒ，３Ｅの識別情報（以下、ＩＤ信号という）を、電子ペン１Ｍと共に使用する位置検出装置４００Ｍに送信するように構成した場合の電子ペン１Ｍと、位置検出装置４００Ｍとの回路構成を示す図である。図６では、電子ペン１Ｍの回路構成は、電子ペン本体部３Ｂ，３Ｒ，３Ｅの内の一つを代表として示したものである。他の電子ペン本体部３Ｒ，３Ｅは同一の回路構成を備え、同一の動作をするものであることは言うまでもない。
【００７６】
以下の説明においては、電子ペン１Ｍにおいて、この電子ペン本体部３Ｂが、ノック棒４２Ｂがスライド移動させられることで、芯体３４の先端部３４ａ及びフェライトコア３２のコイル非巻回部３２ｂの一部が筐体２Ｍの開口２Ｍａから外部に突出して、位置検出装置４００Ｍと電磁誘導結合するようにされている場合として説明する。なお、以下の説明において、電子ペン本体部３Ｂにおいて第１の実施形態の電子ペン本体部３と同一の構成部分については、同一参照符号を用いると共に、位置検出装置４００Ｍにおいて第１の実施形態の位置検出装置４００と同一の構成部分については、同一参照符号を用いるものとする。
【００７７】
電子ペン本体部３Ｂは、第１の実施形態の電子ペン本体部３と同様に、コイル３１に対して、筒状体部３３に設けられているキャパシタＣｆ及び筆圧検出部３５の可変容量キャパシタＣｖが並列に接続された並列共振回路５００と、ＩＤ送信回路６００とを備える。
【００７８】
並列共振回路５００のコイル３１の一端及び他端に接続される端子５００ａ及び５００ｂは、ＩＤ送信回路６００の２端子６００ａ及び６００ｂにそれぞれ接続されている。
【００７９】
ＩＤ送信回路６００は、図６に示すように、ＩＤ発生制御回路としてのＩＣ（Integrated  Circuit；集積回路）６０１を備える。このＩＣ６０１は、並列共振回路５００にて位置検出装置４００Ｍから電磁誘導結合により受信した交流信号を、ダイオード６０２及びキャパシタ６０３からなる整流回路（電源供給回路）６０４にて整流して得られる電源Ｖｃｃにより動作するように構成されている。そして、この例では、端子６００ａと電源供給回路６０４との間には、通常は開（ノーマルオープン）の状態とされるスイッチ回路６０５が設けられている。このスイッチ回路６０５は、例えば半導体スイッチ回路で構成され、開の状態では、高インピーダンスの状態となっている。
【００８０】
このスイッチ回路６０５は、スイッチ制御回路６０６からのスイッチ制御信号によりオンとなるように制御される。スイッチ制御回路６０６は、並列共振回路５００にて位置検出装置４００Ｍから電磁誘導結合により受信した交流信号からスイッチ制御信号を生成する。
【００８１】
また、ＩＤ送信回路６００においては、並列共振回路５００に並列に、スイッチ回路６０７が接続されている。このスイッチ回路６０７は、ＩＣ６０１によりオン・オフ制御されるように構成されている。
【００８２】
ＩＣ６０１は、この例では、電子ペン本体部３Ｂの製造者番号、製品番号及び、上述のような機能の種別等の情報を含む、例えば８ビットのデジタル信号からなるＩＤ信号を、内蔵するメモリ６０１Ｍに記憶している。そして、ＩＣ６０１は、メモリ６０１Ｍに記憶しているＩＤ信号で、スイッチ回路６０７をオン・オフ制御することで、位置検出装置４００Ｍから受信した交流信号を断続させてＡＳＫ（Amplitude Shift Keying）信号を生成して、前記ＩＤ信号を位置検出装置４００Ｍに送信する。
【００８３】
一方、この図６の例の位置検出装置４００Ｍは、図４に示した位置検出装置４００の構成において、ゲインが固定の電流ドライバ４２２の代わりに、外部からのゲイン制御信号によりゲインの可変調整が可能な電流ドライバ４２２Ｍを設けると共に、処理制御部４３３の代わりに、処理制御部４３３Ｍを設ける構成とされる。その他の各部は、図４に示した位置検出装置４００と全く同様である。
【００８４】
電流ドライバ４２２Ｍは、処理制御部４３３Ｍからのゲイン制御信号を受けて、送信信号の信号レベルを変更可能に構成されている。
【００８５】
また、処理制御部４３３Ｍは、例えばマイクロコンピュータにより構成されており、前述の処理制御部４３３と同様にして電子ペン１Ｍとの間での電磁誘導信号の送受により、電子ペン１Ｍにより指示された位置の検出、また、電子ペン１Ｍに印加された筆圧の検出を行うことに加え、電流ドライバ４２２Ｍに、送信信号を断続制御するための信号及び送信信号レベル制御のための信号を供給すると共に、電子ペン１ＭからのＩＤ信号の受信処理を行うようにする。処理制御部４３３Ｍは、後述するように、電子ペン１Ｍからの断続信号を、数ビット例えば８ビットのデジタル信号として検出して、ＩＤ信号を検出するようにする。
【００８６】
以下に、電子ペン１Ｍの電子ペン本体部３Ｂと位置検出装置４００Ｍとの間で電磁誘導結合している場合を例として、そのＩＤ信号の送受と、位置検出動作及び筆圧検出動作について説明する。
【００８７】
電子ペン本体部３Ｂにおいては、スイッチ回路６０５がオフで、電源供給回路６０４から電源電圧Ｖｃｃが供給されていない状態ではＩＣ６０１は動作を停止しており、このときには、並列共振回路５００側から見たとき、ＩＤ送信回路６００が高インピーダンスとなり、並列共振回路５００には、何も接続されていない状態と等価となる。したがって、このときには、並列共振回路５００の共振周波数は、ＩＤ送信回路６００によって影響を受けることはない。なお、ＩＣ６０１には位置検出装置４００Ｍとの間での電磁誘導信号の授受のための同期信号として、キャパシタ６０８を介して、位置検出装置４００Ｍから送信された電磁誘導信号が供給される。
【００８８】
図７は、位置検出装置４００Ｍの処理制御部４３３Ｍの処理動作を説明するためのフローチャートであり、位置検出装置４００Ｍに電源が投入されているときには、この図７の処理を繰り返し実行する。
【００８９】
すなわち、処理制御部４３３Ｍは、先ず、電流ドライバ４２２Ｍに、送信信号の信号レベルを大とするゲイン制御信号を供給する。これにより、発振器４２１からの周波数ｆ０の交流信号は、電流ドライバ４２２Ｍにより大レベルとされ、選択回路４１３を介してループコイル群４１１Ｘ，４１２Ｙに供給される（ステップＳ１）。
【００９０】
電子ペン１Ｍの電子ペン本体部３Ｂにおいては、この位置検出装置４００Ｍからの大レベルの交流信号による電磁誘導信号を並列共振回路５００で受信する。このとき、位置検出装置４００Ｍからの交流信号の信号レベルが大きいことに対応して、スイッチ制御回路６０６は、並列共振回路５００が受信した交流信号から、スイッチ回路６０５をオンにするスイッチ制御信号を生成する。これにより、スイッチ回路６０５がオンになると、並列共振回路５００が受信した交流信号を整流して生成された電源電圧Ｖｃｃが、電源供給回路６０４からＩＣ６０１に供給される。
【００９１】
ＩＣ６０１に電源電圧Ｖｃｃが供給されるとＩＣ６０１は動作を開始する。ＩＣ６０１は、電子ペン本体部３ＢのＩＤ信号をデジタル信号として生成し、そのデジタル信号により、スイッチ回路６０７をオン・オフ制御して並列共振回路５００をオン・オフ制御する。これにより、電子ペン本体部３Ｂからは、位置検出装置４００Ｍからの交流信号がＩＤ信号により断続されてＡＳＫ信号とされた電磁誘導信号が、電子ペン１Ｍの電子ペン本体部３Ｂから、位置検出装置４００Ｍに送信される。
【００９２】
すなわち、例えば、ＩＤ信号のビットが「１」で、スイッチ回路６０７がオフであるときには、並列共振回路５００は、位置検出装置４００Ｍから送信された交流信号に対して共振動作を行って、電磁誘導信号を位置検出装置４００Ｍに返送することができる。位置検出装置４００Ｍのループコイルは、電子ペン１Ｍの電子ペン本体部３Ｂの並列共振回路５００からの電磁誘導信号を受信する。これに対して、ＩＤ信号のビットが「０」で、スイッチ回路６０７がオンであるときには、並列共振回路５００は、位置検出装置４００Ｍからの交流信号に対する共振動作が禁止された状態になり、このために、並列共振回路５００から位置検出装置４００Ｍに電磁誘導信号は返送されず、位置検出装置４００Ｍのループコイルは、電子ペン１Ｍの電子ペン本体部３Ｂからの信号を受信しない。
【００９３】
この例では、位置検出装置４００Ｍの処理制御部４３３Ｍは、電子ペン１Ｍの電子ペン本体部３Ｂからの受信信号の有無の検出を８回行うことにより、８ビットのデジタル信号を受信する。すなわち、処理制御部４３３Ｍは、ステップＳ１では、電流ドライバ４２２Ｍをゲイン制御して、送信信号の信号レベルを大きく設定して送出する状態にすると共に、電子ペン１Ｍの電子ペン本体部３Ｂからの８ビットのＩＤ信号を検出するため、座標検出の際と同様なタイミングで送受信を８回継続して行う。
【００９４】
そして、位置検出装置４００Ｍの処理制御部４３３Ｍは、電子ペン１Ｍの電子ペン本体部３Ｂからの受信信号の有無の検出を８回行うことにより、８ビットのデジタル信号であるＩＤ信号を受信することができる。
【００９５】
位置検出装置４００Ｍの処理制御部４３３Ｍは、以上のような処理をすることにより、電子ペン１Ｍの電子ペン本体部３ＢからのＩＤ信号を受信したか否か判別し（ステップＳ２）、ＩＤ信号を所定の時間内に受信できなかったと判別したときには、ステップＳ１に戻り、大レベルでの送信信号の送信を所定回数継続して行う。なお、大レベルの送信信号に代えて、信号継続期間が長い所定レベルのバースト信号を送信信号としてもよい。
【００９６】
処理制御部４３３Ｍは、ＩＤ信号の受信処理を所定回数継続して行ってもＩＤ信号が受信できなかったときには、電子ペン１ＭにはＩＤ信号を送出する機能が備わっていないものと判断してＩＤ信号の受信処理をスキップさせる。
【００９７】
そして、ステップＳ２で、ＩＤ信号を受信したと判別したときには、処理制御部４３３Ｍは、電流ドライバ４２２Ｍのゲインを下げて、送信信号の信号レベルを、ステップＳ１での大レベルよりも所定のレベル（通常使用レベル）まで下げるようにする（ステップＳ３）。このときの所定のレベルは、電子ペン１Ｍの電子ペン本体部３Ｂによる指示位置の検出及び筆圧の検出が、位置検出装置４００Ｍで可能であるが、電子ペン１Ｍの電子ペン本体部３Ｂのスイッチ制御回路６０６が、スイッチ回路６０５を、オンにすることができないレベルとされる。
【００９８】
こうして、位置検出装置４００Ｍから送信された電磁誘導信号の信号レベルが所定レベル（通常使用状態）に設定されると、電子ペン１Ｍの電子ペン本体部３Ｂのスイッチ制御回路６０６はスイッチ回路６０５をオンとするスイッチ制御信号を出力しない。このため、電源供給回路６０４からの電源電圧ＶｃｃのＩＣ６０１への供給が停止し、ＩＣ６０１は、動作不能となるので、図７のフローチャートの処理は、終了となり、電子ペン１Ｍの電子ペン本体部３ＢはＩＤ信号の送信を停止する。
【００９９】
しかし、位置検出装置４００Ｍから送信された電磁誘導信号の信号レベルが所定レベル（通常使用状態）に設定された状態は、図４の場合と全く同様の状態となるので、位置検出装置４００Ｍの処理制御部４３３Ｍは、電子ペン１Ｍの電子ペン本体部３Ｂの並列共振回路５００との間での電磁誘導信号の送受により、上述した第１の実施形態で説明したようにして電子ペン１Ｍの電子ペン本体部３Ｂによる指示位置及び筆圧を検出する処理を行う（ステップＳ４）。
【０１００】
そして、処理制御部４３３Ｍは、電子ペン１Ｍの電子ペン本体部３Ｂの並列共振回路５００からの電磁誘導信号の返送を監視し、当該電磁誘導信号の返送がなくなったために、電子ペン１Ｍの電子ペン本体部３Ｂを検出できない状態になったか否か判別する（ステップＳ５）。このステップＳ５で、電子ペン１Ｍの電子ペン本体部３Ｂを検出できていると判別したときには、処理制御部４３３Ｍは、処理をステップＳ４に戻す。また、ステップＳ５で、電子ペン１Ｍの電子ペン本体部３Ｂを検出できなくなったと判別したときには、処理制御部４３３Ｍは、処理をステップＳ１に戻して、電流ドライバ４２２Ｍに、送信信号の信号レベルを大レベルとするゲイン制御信号を供給することで、ループコイル群４１１Ｘ，４１２Ｙに供給する送信信号の信号レベルを大レベルにする。そして、処理制御部４３３Ｍは、このステップＳ１以降の処理を繰り返す。
【０１０１】
［第２の実施形態の効果］
上述した第２の実施形態によれば、位置指示器は複数本の電子ペン本体部を収納することができると共に、電子ペン本体部のそれぞれは、自分自身のＩＤ信号を、位置検出装置に伝達することができる。そして、第２の実施形態の電子ペンと共に使用される位置検出装置においては、電子ペン本体部のＩＤ信号を検出することで、それぞれの電子ペン本体部に割り当てられた所定の機能処理を判別するが可能となって、非常に便利である。そして、第２の実施形態の位置指示器によれば、複数の電子ペン本体部を選択的に使用することで、位置検出装置側で機能選択をすることなく、種々の機能を実現することができるというメリットがある。
【０１０２】
そして、上述の第２の実施形態の電子ペンにおいては、筐体及びノック機構は、市販の多色ボールペンと同様の構成とされているので、ボールペンの替え芯を、電子ペン本体部に代えて、位置指示器の筐体内に収納して使用することができる。これにより、この第２の実施形態の電子ペンは、筆記具のボールペンとしての機能と、位置検出装置と共に使用する電子ペンの機能とを併せ持つことができる。
【０１０３】
［第２の実施形態の変形例］
なお、上述の例では、電子ペン本体部３Ｂ，３Ｒ，３Ｅのスイッチ制御回路６０６は、位置検出装置４００Ｍからの大レベルの電磁誘導信号を並列共振回路５００で受信したときに、当該受信した大レベルの電磁誘導信号に基づき、スイッチ回路６０５をオンにするスイッチ制御信号を生成し、これにより、ＩＣ６０１に電源Ｖｃｃを供給するようにした。
【０１０４】
しかし、スイッチ制御回路６０６がスイッチ回路６０５をオンにして、ＩＣ６０１に電源Ｖｃｃを供給するようにする方法は、このような方法に限られるものではない。例えば、他の例としては、位置検出装置４００Ｍから所定のデジタル信号を電子ペン本体部３Ｂ，３Ｒまたは３Ｅに送り、このデジタル信号を受け取った電子ペン本体部３Ｂ，３Ｒまたは３Ｅのスイッチ制御回路６０６にスイッチ回路６０５をオンにするスイッチ制御信号を生成させるように構成することもできる。
【０１０５】
電子ペン本体部３Ｂ，３Ｒ，３Ｅの識別情報は、上述の説明では、共振回路を制御することで位置検出装置に送信するようにしたが、例えばＮＦＣ(Near Field Communication;近距離無線通信)やブルートゥース（登録商標）規格の無線送信部を別途設けて、当該無線送信部を通じて位置検出装置に送信するようにしてもよい。
【０１０６】
［第３の実施形態］
以上の実施形態においては、フェライトコア３２の貫通孔３２ｄを挿通された芯体３４の端部３４ｂが筆圧検出部３５に嵌合されて、芯体３４の先端部３４ａに印加された筆圧を、筆圧検出部３５が検出するように構成されている。このため、フェライトコア３２は貫通孔３２ｄを備える必要があると共に、芯体３４は、細長い棒状の部材とする必要があった。
【０１０７】
しかし、芯体に印加される筆圧の検出方法を工夫することで、フェライトコアに貫通孔を形成しない構成とすることもできる。第３の実施形態は、その場合の一例である。
【０１０８】
図８は、この第３の実施形態の要部の構成例を説明するための図である。図８（Ａ）は、この第３の実施形態の電子ペン本体部３Ａに用いるフェライトコア３２Ａ及び芯体３４Ａの構成例を示すものである。この第３の実施形態においては、フェライトコア３２Ａは、貫通孔３２ｄは有さず、その代わりに、芯体３４Ａを嵌合させる凹部３２Ａｆを、芯体３４Ａ側に備える。この凹部３２Ａｆの内径は、例えば、前述のフェライトコア３２の貫通孔３２ｄの径ｒと同一とされる。そして、この第３の実施形態においては、フェライトコア３２Ａのテーパー部３２ｅの芯体３４Ａ側の端面には、中央に径ｒの貫通孔を備える、例えば樹脂からなるワッシャ部材３７が、例えば接着されて固定されている。
【０１０９】
この第３の実施形態における芯体３４Ａは、ペン先部３４Ａａと、このペン先部３４Ａａの端面からフェライトコア３５Ａ側に突出する、径ｒの突部３４Ａｂとからなる。突部３４Ａｂは、芯体３４Ａは、突部３４Ａｂが、ワッシャ部材３７を介してフェライトコア３２Ａの凹部３２Ａｆに圧入嵌合される。芯体３４Ａは、突部３４Ａｂがワッシャ部材３７と弾性的に係合することで、フェライトコア３２Ａの嵌合部３２Ａｆから容易に離脱しないように嵌合される。しかし、芯体３４Ａを強く引き抜くことで、フェライトコア３２Ａから芯体３４Ａを離脱させることができる。
【０１１０】
フェライトコア３２Ａは、貫通孔３２ｄを備えない他は、上述の第１の実施形態のフェライトコア３２と同様にして、同一の寸法で構成され、コイル３１の巻回部３２Ａａと、第１のコイル非巻回部３２Ａｂと、第２のコイル非巻回部３２Ａｃとを備える。したがって、図示は省略するが、ノック操作により、芯体３４Ａのペン先部３４Ａａが電子ペンの筐体２の開口２ｂから外部に突出する状態では、フェライトコア３２Ａの第１のコイル非巻回部３２Ａｂも、第１の実施形態と同様にして、筐体２の開口２ｂから外部に突出する状態となる。
【０１１１】
図８（Ｂ）は、この第３の実施形態における電子ペン本体部３Ａの要部を示すものである。この図８（Ｂ）に示すように、この第３の実施形態における電子ペン本体部３Ａにおいては、筒状体部３３Ａは、第１の筒状体部３３１と、第２の筒状体部３３２とに軸芯方向に２分されて構成されている。そして、この第３の実施形態においては、第１の筒状体部３３１と第２の筒状体部３３２との結合部３８の近傍に筆圧検出部３５Ａが設けられる。
【０１１２】
そして、図８（Ｂ）に示すように、この例においては、第１の筒状体部３３１と、第２の筒状体部３２２とは、結合部３８において、連結棒部材３８１とコイルバネ３８２を介して結合されている。この場合に、第１の筒状体部３３１と第２の筒状体部３２２とは、コイルバネ３８２により、常に、軸心方向において、互いに離れるように弾性変位されるが、連結棒部材３８１により、所定位置で係止して、それ以上は軸芯方向に変位しないように構成されている。そして、その係止状態における電子ペン本体部３の全長が、前述したボールペンの替え芯６の全長Ｌ２と等しくなるように構成されている。
【０１１３】
そして、図８（Ｂ）に示すように、この実施形態では、第１の筒状体部３３１の結合部３８の近傍には、筆圧検出部３５Ａが設けられている。そして、連結棒部材３８１の一端３８１ａ側が、筆圧検出部３５Ａの押圧部として働くように構成されている。
【０１１４】
また、第１の筒状体部３３１内には、コイル３１と共に共振回路を構成するキャパシタ（図示は省略）が搭載されているプリント基板３６Ａが配設されており、筆圧検出部３５Ａを構成する可変容量キャパシタの一端及び他端は、このプリント基板３６Ａのキャパシタに並列に接続されるように電気的に接続されている。また、コイル３１の一端３１ａ及び３１ｂが、プリント基板３６Ａのキャパシタに並列に接続されるように電気的に接続されている。
【０１１５】
この例の筆圧検出部３５Ａは、前述と同様に、例えば特許文献：特開２０１１−１８６８０３号公報に記載されている周知の構成の筆圧検出手段を使用した、筆圧に応じて静電容量が変化する可変容量キャパシタの構成とすることができる。また、例えば、特開２０１３−１６１３０７号公報に開示されているような筆圧に応じて静電容量を可変とする半導体素子を用いた構成することもできる。
【０１１６】
この電子ペン本体部３Ａの芯体３４Ａのペン先部３４Ａａが筐体２の開口２ｂから外部に突出する状態で、芯体３４に圧力が加わると、電子ペン本体部３の第１の筒状体部３３１側の全体が、コイルバネ３８２の弾性力に抗して、第２の筒状体部３３２側に移動しようとする力が働き、筆圧検出部３５Ａの静電容量が筆圧に応じたものとなる。このようにして、この第３の実施形態では、フェライトコアに貫通孔を設けなくても、芯体３４Ａに印加される筆圧を検出することができる。
【０１１７】
［第４の実施形態］
以上は、電磁誘導方式の電子ペンの場合にこの発明を適用した場合である。しかし、この発明は、静電容量方式の電子ペンの例であるアクティブ静電ペンにも適用できる。以下に説明する第４の実施形態の電子ペンにおいては、フェライトコアに巻回されたコイルは、信号発信回路の電源を充電する充電回路の一部とされる。
【０１１８】
図９は、第４の実施形態の電子ペンの例である静電方式スタイラスペンの位置指示部の内部構造を示した図である。図１０は、この第４の実施形態の電子ペンの回路構成図である。図９と図１０において、同一構成要素は同一符号で示す。
【０１１９】
この第４の実施形態の電子ペンにおいては、ペン先側の構成は、図１〜図２を用いて説明した第１の実施形態と同様である。すなわち、フェライトコア３２Ｄは軸芯方向の貫通孔３２Ｄａを備えると共に、このフェライトコア３２Ｄには、部分的にコイル３１Ｄが巻回されている。そして、第１の実施形態と同様に、フェライトコア３２Ｄは、その軸心方向に、コイル３１Ｃが巻回されているコイル巻回部３２Ｄａが形成されると共に、ペン先側に第１のコイル非巻回部３２Ｄｂが形成され、ペン先側とは反対側に第２のコイル非巻回部３２Ｄｃが形成されている。
【０１２０】
そして、この第４の実施形態では、芯体３４Ｄは、導体、例えば導電性金属や導電性粉末を混入した硬質樹脂からなる電極芯の構成とされる。以下の説明では、芯体３４Ｄを、電極芯３４Ｄと称する。
【０１２１】
この電極芯３４Ｄは、第１の実施形態の場合と同様にして、フェライトコア３２Ｄの貫通孔３２Ｄｄを挿通して、筆圧検出部３５Ｄに嵌合される。筆圧検出部３５Ｄは、上述の第１の実施形態と同様に、フェライトコア３４Ｄと結合される電子ペン本体部の筒状体部内に設けられており、可変容量キャパシタの構成とされている。電極芯３４Ｄは、電極と可変容量キャパシタの構成である筆圧検出部３５Ｄに嵌合する押圧体とを一体に構成したものとなる。
【０１２２】
なお、図９では、図示を省略するが、電子ペン本体部の筒状体部内には、電極芯３４Ｄを通じて外部に送出する信号発信回路を搭載するプリント基板が配置されている。電極芯３４Ｄは、接続線３９により、プリント基板の信号発信回路と接続されている。次に、この第４の実施形態の電子ペンの回路構成について説明する。
【０１２３】
図１０において、５１は電気二重層キャパシタ、５２は整流用ダイオード、５３は電圧変換回路、５４は、この例の信号発信回路を構成する発振回路である。図１０に示すように、この例では、コイル３１Ｄの一端はダイオード５２のアノードに接続され、他端は、接地（ＧＮＤ）されている。また、電気二重層キャパシタ５１の一端はダイオード５２のカソードに接続され、他端は、接地されている。
【０１２４】
電極芯３４Ｄは、コイル３１Ｄが巻かれたフェライトコア３２Ｄの貫通孔３２Ｄｄを貫通して、可変容量キャパシタを構成する筆圧検出部３５Ｄに物理的に結合（係合）されると共に、電極芯３４Ｄと可変容量キャパシタを構成する筆圧検出部３５Ｄとの前記結合部では接続線３９と電気的に接続されている。接続線３９は、電極芯３４Ｄと発振回路５４とを電気的に接続している。したがって、電極芯３４Ｄと可変容量キャパシタを構成する筆圧検出部３５Ｄとの前記物理的な結合により電極芯３４Ｄに加えられた圧力（筆圧）は筆圧検出部３５Ｄに伝達されるとともに、接続線３９を経由して発振回路５４からの送信信号が電極芯３４Ｄより送信される。
【０１２５】
発振回路５４は、筆圧検出部３５Ｄの可変容量キャパシタの容量に応じて周波数が変化する信号を発生し、その発生した信号を電極芯３４Ｄに供給する。発振回路５４からの信号は、電極芯３４Ｄよりその信号に基づく電界として放射される。発振回路５４は、例えばコイルとキャパシタによる共振を利用したＬＣ発振回路により構成される。この実施形態の電子ペンの例の静電方式スタイラスペンの座標位置を検出するタブレットでは、この信号の周波数より電極芯３４Ｄに加えられた筆圧を求めることができる。
【０１２６】
電圧変換回路５３は、電気二重層キャパシタ５１に蓄えられた電圧を一定の電圧に変換して発振回路５４の電源として供給する。この電圧変換回路５３は、電気二重層キャパシタ５１の両端の電圧よりも低くなるような降圧タイプのものでも良いし、電気二重層キャパシタ５１の両端の電圧よりも高くなるような昇圧タイプのものでも良い。また、電気二重層キャパシタ５１の両端の電圧が前記一定の電圧よりも高い場合は降圧回路として動作し、前記一定の電圧よりも低い場合は昇圧回路として動作する昇降圧タイプのものでも良い。
【０１２７】
この実施形態の静電方式スタイラスペンを図示しない充電器に装着したときに、充電器が発生する交番磁界によりコイル３１Ｄには誘導起電力が発生して、ダイオード５２を介して電気二重層キャパシタ５１を充電する。
【０１２８】
この実施形態の静電方式スタイラスペンが通常動作するとき（充電動作を行わないとき）は、コイル３１Ｄは固定電位（この例では接地電位（ＧＮＤ））となるため、電極芯３４Ｄの周囲に設けたシールド電極として作用する。なお、静電方式スタイラスペンが通常動作するときのコイル３１Ｄの固定電位は、接地電位に限らず、電源のプラス側電位であっても良いし、電源のプラス側電位と接地電位との中間の電位であっても良い。
【０１２９】
上述の第４の実施形態の電子ペンの例である静電方式スタイラスペンによれば、充電用のコイル３１Ｄを貫通するように電極芯３４Ｄを配置したため、
・電極芯３４Ｄに加えられる筆圧が阻害されることなく可変容量キャパシタ３５Ｄに伝達される、
・充電用のコイル３１Ｄの断面積を大きくすることができ、そのため充電を高速かつ効率良く行うことができる、
・充電用のコイル３１Ｄと電極芯３４Ｄを狭いスペースに配置することができ、静電方式スタイラスペンを細く作ることができる、
という効果を奏する。
【０１３０】
また、上述の第４の実施形態の電子ペンの例である静電方式スタイラスペンによれば、充電動作時ではない通常動作時には充電用のコイル３１Ｄはシールド電極として作用するので、電子ペンの筐体２を手で持っても電極芯３１Ｄが出力する信号に影響を与えることがない。
【０１３１】
また、上述の第４の実施形態の電子ペンの例である静電方式スタイラスペンによれば、電極芯３１Ｄの周囲に非接触充電用のコイル３４Ｄを設けるようにしたため、ペン立て形状の充電器による非接触充電が可能で、操作性の良い静電方式スタイラスペンが実現できる。
【０１３２】
図１１は、第４の実施形態の電子ペンの例である静電方式スタイラスペン３Ｄからの信号を受け、センサ上の位置を検出すると共に、筆圧を検出するようにする位置検出装置７００を説明するためのブロック図である。
【０１３３】
この実施形態の位置検出装置７００は、図１１に示すように、センサ７１０と、このセンサ７１０に接続されるペン検出回路７２０とからなる。センサ７１０は、この例では、断面図は省略するが、下層側から順に、第１の導体群７１１、絶縁層（図示は省略）、第２の導体群７１２を積層して形成されたものである。第１の導体群７１１は、例えば、横方向（Ｘ軸方向）に延在した複数の第１の導体７１１Ｙ１、７１１Ｙ２、…、７１１Ｙｍ（ｍは１以上の整数）を互いに所定間隔離して並列に、Ｙ軸方向に配置したものである。
【０１３４】
また、第２の導体群７１２は、第１の導体７１１Ｙ１、７１１Ｙ２、…、７１１Ｙｍの延在方向に対して交差する方向、この例では直交する縦方向（Ｙ軸方向）に延在した複数の第２の導体７１２Ｘ１、７１２Ｘ２、…、７１２Ｘｎ（ｎは１以上の整数）を互いに所定間隔離して並列に、Ｘ軸方向に配置したものである。
【０１３５】
このように、位置検出装置７００のセンサ７１０では、第１の導体群７１１と第２の導体群７１２を交差させて形成したセンサパターンを用いて、静電方式スタイラスペン３Ｄが指示する位置を検出する構成を備えている。
【０１３６】
なお、以下の説明において、第１の導体７１１Ｙ１、７１１Ｙ２、…、７１１Ｙｍについて、それぞれの導体を区別する必要がないときには、その導体を、第１の導体７１１Ｙと称する。同様に、第２の導体７１２Ｘ１、７１２Ｘ２、…、７１２Ｘｎについて、それぞれの導体を区別する必要がないときには、その導体を、第２の導体７１２Ｘと称することとする。
【０１３７】
ペン指示検出回路７２０は、センサ７１０との入出力インターフェースとされる選択回路７２１と、増幅回路７２２と、バンドパスフィルタ７２３と、検波回路７２４と、サンプルホールド回路７２５と、ＡＤ（Analog  to  Digital）変換回路７２６と、制御回路７２７とからなる。
【０１３８】
選択回路７２１は、制御回路７２７からの制御信号に基づいて、第１の導体群７１１および第２の導体群７１２の中から１本の導体７１１Ｙまたは７１２Ｘを選択する。選択回路７２１により選択された導体は増幅回路７２２に接続され、静電方式スタイラスペン３Ｄからの信号が、選択された導体により検出されて増幅回路７２２により増幅される。この増幅回路７２２の出力はバンドパスフィルタ７２３に供給されて、静電方式スタイラスペン３Ｄから送信される信号の周波数の成分のみが抽出される。
【０１３９】
バンドパスフィルタ７２３の出力信号は検波回路７２４によって検波される。この検波回路７２４の出力信号はサンプルホールド回路７２５に供給されて、制御回路７２７からのサンプリング信号により、所定のタイミングでサンプルホールドされた後、ＡＤ変換回路７２６によってデジタル値に変換される。ＡＤ変換回路７２６からのデジタルデータは制御回路７２７によって読み取られ、処理される。
【０１４０】
制御回路７２７は、内部のＲＯＭに格納されたプログラムによって、サンプルホールド回路７２５、ＡＤ変換回路７２６、および選択回路７２１に、それぞれ制御信号を送出するように動作する。そして、制御回路７２７は、ＡＤ変換回路７２６からのデジタルデータから、静電方式スタイラスペン３Ｄによって指示されたセンサ７１０上の位置座標を算出すると共に、筆圧検出部３５Ｄで検出された筆圧を検出するようにする。
【０１４１】
すなわち、制御回路７２７は、例えばまず第２の導体７１２Ｘ１〜７１２Ｘｎを順次に選択する選択信号を選択回路７２１に供給し、第２の導体７１２Ｘ１〜７１２Ｘｎのそれぞれの選択時に、ＡＤ変換回路７２６から出力されるデータを信号レベルとして読み取る。そして、第２の導体７１２Ｘ１〜７１２Ｘｎの全ての信号レベルが所定値に達していなければ、制御回路７２７は、静電方式スタイラスペン３Ｄがセンサ７１０上に無いものと判断し、第２の導体７１２Ｘ１〜７１２Ｘｎを順次に選択する制御を繰り返す。
【０１４２】
第２の導体７１２Ｘ１〜７１２Ｘｎのいずれかから所定値以上のレベルの信号が検出された場合には、制御回路７２０は、最も高い信号レベルが検出された第２の導体７１２Ｘの番号とその周辺の複数個の第２の導体７１２Ｘを記憶する。そして、制御回路７２７は、選択回路７２１を制御して、第１の導体７１１Ｙ１〜７１１Ｙｍを順次選択して、ＡＤ変換回路７２６からの信号レベルを読み取る。このとき制御回路７２７は、最も大きい信号レベルが検出された第１の導体７１１Ｙとその周辺の複数個の第１の導体７１１Ｙの番号を記憶する。
【０１４３】
そして、制御回路７２７は、以上のようにして記憶した、最も大きい信号レベルが検出された第２の導体７１２Ｘの番号及び第１の導体７１１Ｙの番号とその周辺の複数個の複数個の第２の導体７１２Ｘ及び第１の導体７１１Ｙから、静電方式スタイラスペン３Ｄにより指示されたセンサ７１０上の位置を検出する。
【０１４４】
制御回路７２７は、また、ＡＤ変換回路７２６からの信号の周波数を検出し、その検出した周波数から、筆圧検出部３５Ｄで検出された筆圧値を検出する。すなわち、前述したように、静電方式スタイラスペン３Ｄの発振回路５４の発振周波数は、筆圧検出部３５Ｄで構成される可変容量キャパシタの静電容量に応じた周波数となっている。制御回路７２７は、例えば、静電方式スタイラスペン３Ｄの発振回路５４の発振周波数と筆圧値との対応テーブルの情報を備えており、この対応テーブルの情報から、筆圧値を検出する。
【０１４５】
なお、上述の第４の実施形態では、静電方式スタイラスペン３Ｄは、筆圧検出部３５Ｄで検出した筆圧を周波数に変換して電極芯３４Ｄに供給するようにしたが、筆圧を対応させる信号属性としては周波数に限られるものではなく、信号の位相や信号の断続回数などに筆圧を対応させるようにしても良い。
【０１４６】
［その他の実施形態又は変形例］
上述の実施形態では、筆圧検出部は、筆圧に応じて静電容量を可変する可変容量キャパシタを用いるようにしたが、共振回路の共振周波数を変化させる変化素子であれば、インダクタンス値や抵抗値を可変するものであってもよいことは言うまでもない。
【０１４７】
また、上述の実施形態では、電子ペン本体部には、筆圧検出部を設けるようにしたが、筆圧検出部の代わりに、電子ペン本体部の芯体に印加される圧力に応じてオンとされるスイッチを設け、このスイッチがオンとされたときに、共振回路が動作するように構成したり、発振回路が発振を開始したりするように構成してもよい。また、筆圧検出部で検出される圧力に対して閾値を設け、筆圧検出部で検出された圧力が閾値を超えたときに、共振回路が動作するように構成したり、発振回路が発振を開始したりするように構成してもよい。
【０１４８】
また、上述の実施形態では、電子ペン本体部は、市販のボールペンの替え芯と同寸法として、電子ペン１，１Ｍの筐体と、市販のボールペンの筐体との互換性を図ることができるようにしたが、市販のボールペンの替え芯との互換性を考慮せずに、細型化した電子ペン本体部を構成することができることは勿論である。
【０１４９】
また、上述の第１の実施形態では、ノックカム機構を用いて、電子ペン本体部をノック式に筐体内に出し入れするように構成したが、このようなノック式のものに限られるものではなく、単純に、電子ペン本体部を筐体内に収納した形態の電子ペンであってもよい。
【０１５０】
また、上述の第２の実施形態では、電子ペン１Ｍは、電子ペン本体部のみではなく、筐体及びノック機構も市販のノック式多色ボールペンとの互換性を考慮した構成としたが、市販のノック式多色ボールペンとの互換性は、第１の実施形態と同様に、この発明の必須の要件ではない。
【０１５１】
また、上述した第１〜第３の実施形態の電子ペン本体部３，３Ｂ，３Ａでは、コイル３１，３１Ａとキャパシタとからなる共振回路における共振周波数の変化として、筆圧検出部３５、３５Ａで検出された筆圧の情報を位置検出装置に送信したが、筆圧の情報に限られるものではない。例えば、電子ペン本体部のセンサ面（指示入力面）に対する傾きを検出する傾き検出センサにより検出した傾きを、共振周波数の変化として送信するようにしても良い。
【０１５２】
同様に、上述の第４の実施形態では、静電方式スタイラスペン３Ｄは、筆圧検出部３５Ｄで検出された筆圧に応じた周波数の交流信号を、電極芯３４Ｄを通じて送出するようにしたが、例えば静電方式スタイラスペン３Ｄの指示入力面に対する傾きを検出する傾き検出センサにより検出した傾きに応じた周波数の交流信号を電極芯３４Ｄを通じて送出するようにしても良い。
【符号の説明】
【０１５３】
１，１Ｍ…電子ペン、２，２Ｍ…筐体、３，３Ｂ，３Ａ，３Ｄ…電子ペン本体部、４…ノックカム機構、６…市販のボールペンの替え芯、３１，３１Ａ，３１Ｄ…コイル、３２，３２Ａ，３２Ｄ…フェライトコア、３３…筒状体部、３４，３４Ａ，３４Ｄ…芯体、３５，３５Ａ，３５Ｄ…筆圧検出部、３２ａ…コイル巻回部、３２ｂ…第１のコイル非巻回部、３２ｃ…第２のコイル非巻回部
【要約】
細型化されたとしても、電子ペンと位置検出装置のセンサとの間の磁気的結合の強さを良好なものとする。
ペン先側となる軸心方向の一端側に開口が設けられ、他端側が閉塞されている筒状の筐体を有し、少なくとも１本の電子ペン本体部が筒状の筐体内に収納されている電子ペンである。電子ペン本体部は、軸心方向の一端側がペン先となる芯体と、芯体のペン先とは反対側に設けられ、コイルが巻回された磁性体コアとを備える。ペン先となる芯体の一端側が筐体の開口から外部に突出している使用時には、磁性体コアの一部も筐体の開口から外部に突出する。【図１】
0005959038.tif 000002
【図２】
0005959038.tif 000003
【図３】
0005959038.tif 000004
【図４】
0005959038.tif 000005
【図５】
0005959038.tif 000006
【図６】
0005959038.tif 000007
【図７】
0005959038.tif 000008
【図８】
0005959038.tif 000009
【図９】
0005959038.tif 000010
【図１０】
0005959038.tif 000011
【図１１】
0005959038.tif 000012
【図１２】
0005959038.tif 000013